(57)【要約】  本発明は、靴下本体２と、複数の異方性の第１滑り止め部１０、２０と、複数の異方性の第２滑り止め部１００を有し、第１滑り止め部１０、２０は、足甲及び足底の基節骨及び中足骨を覆う領域に配置されており、第１〜第３基節骨、第１〜第３中足骨を覆う領域において、第１滑り止め部１１、２１は、各々の長手方向が外側上部から内側下部に向けて斜め方向になるように、かつ互いにほぼ平行するように配置され、第４〜第５基節骨、第４〜第５中足骨を覆う領域において、複数の第１滑り止め部１２、２２は、各々の長手方向が靴下の幅方向に沿うように、かつ互いにほぼ平行するように配置され、第２滑り止め部１００は、足底の踵骨を覆う領域において、各々の長手方向が靴下の幅方向に沿うように、かつ互いにほぼ平行するように配置されている靴下１に関する。これにより、運動時における横動きや回転動作の瞬発力を向上させることができる靴下を提供する。
2019172249.tif 000002
【特許請求の範囲】
【請求項１】
靴下本体と、靴下本体の前足部の表側に設けられた複数の異方性の第１滑り止め部と、靴下本体の後足部の表側に設けられた複数の異方性の第２滑り止め部を有し、
前記第１滑り止め部は、足甲及び足底の基節骨及び中足骨を覆う領域に配置されており、第１基節骨、第２基節骨、第３基節骨、第１中足骨、第２中足骨及び第３中足骨を覆う領域において、前記複数の第１滑り止め部は、各々の長手方向が外側上部から内側下部に向けて斜め方向になるように、かつ互いにほぼ平行するように配置されており、第４基節骨、第５基節骨、第４中足骨及び第５中足骨を覆う領域において、前記複数の第１滑り止め部は、各々の長手方向が靴下の幅方向に沿うように、かつ互いにほぼ平行するように配置されており、
前記第２滑り止め部は、足底の踵骨を覆う領域において、各々の長手方向が靴下の幅方向に沿うように、かつ互いにほぼ平行するように配置されていることを特徴とする靴下。
【請求項２】
前記第１滑り止め部は、第２基節骨と第３基節骨の間、第２中足骨と第３中足骨の間、第３基節骨と第４基節骨の間、及び第３中足骨と第４中足骨の間で区切られている請求項１に記載の靴下。
【請求項３】
前記第１滑り止め部は、足底において、拇指から小指まで及び拇指球から小指球までを覆う領域にも配置されている請求項１又は２に記載の靴下。
【請求項４】
前記第２滑り止め部は、踵骨及び足底筋膜の内側及び外側のそれぞれにおいて区切られている請求項１〜３のいずれか１項に記載の靴下。
【請求項５】
前記第１滑り止め部及び第２滑り止め部は、樹脂で構成されている請求項１〜４のいずれか１項に記載の靴下。
【請求項６】
さらに、靴下本体の踵部の表側に設けられた複数の異方性の第３滑り止め部を有する請求項１〜５のいずれか１項に記載の靴下。
【請求項７】
前記第３滑り止め部は、樹脂で構成されている請求項６に記載の靴下。
【請求項８】
前記樹脂は、ポリウレタン、シリコーン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、及びアクリロニトリル−ブタジエン−スチレン共重合体及びアクリル系樹脂からなる群から選ばれる１種以上の弾性樹脂である請求項５又は７に記載の靴下。
【請求項９】
請求項１〜８のいずれか１項に記載の靴下、及びスポーツ用パンツを含み、
前記スポーツ用パンツは、強緊締性の第１の生地部と弱緊締性の第２の生地部を含み、第１の生地部は骨盤及び下腹部を含む胴体周囲を覆い、前面よりも背面の方が高い位置にあり、第１の生地部の下部には弱緊締性の第２の生地部が配置され、パンツの上端にはベルト部があり、ベルト部の背面及び両側面は第１の生地部で形成され、ベルト部の前面は第２の生地部で形成されている、機能性衣類。
【発明の詳細な説明】
【技術分野】
【０００１】
本発明は、靴下に関するものであり、運動時における横動きや回転動作の瞬発力を向上させることができる靴下、及びそれを含む機能性衣類に関する。
【背景技術】
【０００２】
靴下は、通常、足の保護や保温の目的で用いられるが、着用性を向上させることが検討されている。例えば、特許文献１には、歩行やスポーツ時に、シューズと足のすべりを抑えるために、靴下の足裏面に多数の滑り止めを配置した靴下が記載されている。特許文献２には、一方の足を軸足として回転した場合に、シューズと足の滑りを抑えるために、足甲側の基節骨及び中足骨を覆うように滑り止め部を配置した靴下が提案されている。
【先行技術文献】
【特許文献】
【０００３】
【特許文献１】実用新案登録第３０９３３４号公報
【特許文献２】特開２０１７−２１８６８９号公報
【発明の概要】
【発明が解決しようとする課題】
【０００４】
しかし、従来の靴下は、シューズと足の滑りを抑えるものの、運動時における横動きや回転動作の瞬発力を向上させることについては検討されていなかった。【０００５】
本発明は、前記従来の問題を解決するため、運動時における横動きや回転動作の瞬発力を向上させることができる靴下、及びそれを含む機能性衣類を提供する。
【課題を解決するための手段】
【０００６】
本発明は、靴下本体と、靴下本体の前足部の表側に設けられた複数の異方性の第１滑り止め部と、靴下本体の後足部の表側に設けられた複数の異方性の第２滑り止め部を有し、前記第１滑り止め部は、足甲及び足底の基節骨及び中足骨を覆う領域に配置されており、第１基節骨、第２基節骨、第３基節骨、第１中足骨、第２中足骨及び第３中足骨を覆う領域において、前記複数の第１滑り止め部は、各々の長手方向が外側上部から内側下部に向けて斜め方向になるように、かつ互いにほぼ平行するように配置されており、第４基節骨、第５基節骨、第４中足骨及び第５中足骨を覆う領域において、前記複数の第１滑り止め部は、各々の長手方向が靴下の幅方向に沿うように、かつ互いにほぼ平行するように配置されており、前記第２滑り止め部は、足底の踵骨を覆う領域において、各々の長手方向が靴下の幅方向に沿うように、かつ互いにほぼ平行するように配置されていることを特徴とする靴下に関する。【０００７】
前記第１滑り止め部は、第２基節骨と第３基節骨の間、第２中足骨と第３中足骨の間、第３基節骨と第４基節骨の間、及び第３中足骨と第４中足骨の間で区切られていることが好ましい。前記第１滑り止め部は、足底において、拇指から小指まで及び拇指球から小指球までを覆う領域にも配置されていることが好ましい。前記第２滑り止め部は、踵骨及び足底筋膜の内側及び外側のそれぞれにおいて区切られていることが好ましい。前記靴下は、さらに、靴下本体の踵部の表側に設けられた複数の異方性の第３滑り止め部を有することが好ましい。【０００８】
前記第１滑り止め部、第２滑り止め部及び第３滑り止め部は、樹脂で構成されていることが好ましい。前記樹脂は、ポリウレタン、シリコーン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、及びアクリロニトリル−ブタジエン−スチレン共重合体及びアクリル系樹脂からなる群から選ばれる１種以上の弾性樹脂であることが好ましい。【０００９】
本発明は、また、前記の靴下、及びスポーツ用パンツを含み、前記スポーツ用パンツは、強緊締性の第１の生地部と弱緊締性の第２の生地部を含み、第１の生地部は骨盤及び下腹部を含む胴体周囲を覆い、前面よりも背面の方が高い位置にあり、第１の生地部の下部には弱緊締性の第２の生地部が配置され、パンツの上端にはベルト部があり、ベルト部の背面及び両側面は第１の生地部で形成され、ベルト部の前面は第２の生地部で形成されている、機能性衣類に関する。
【発明の効果】
【００１０】
本発明の靴下を着用すると、テニス、バレーボール、バスケットボールなどの運動時における横動きや回転動作の瞬発力を向上させることができる。本発明の機能性衣類を着用すると、テニス、バレーボール、バスケットボールなどの運動時における横動きや回転動作の瞬発力をより向上させることができる。
【図面の簡単な説明】
【００１１】
【図１】図１は右足を甲側から投影した模式図であり、（ａ）はサイドステップ時の足圧の分布を示す模式図であり、（ｂ）はサイドステップ時のせん断力の分布を示す模式図であり、（ｃ）は横動き及び前後動き時の靴底の屈曲ラインを示す模式図である。
【図２】図２は本発明の一実施例における靴下（右足）の着用状態の模式図であり、（ａ）は足甲側から見た模式図であり、（ｂ）は足底側から見た模式図であり、（ｃ）は踵側から見た模式図である。
【図３】図３は本発明の一実施例における靴下（右足）の平置状態の模式図であり、（ａ）は足甲側から見た模式図であり、（ｂ）は足底側から見た模式図であり、（ｃ）は踵側から見た模式図である。
【図４】図４は反復横跳びを行った際の全力試技タイムを示すグラフである。
【図５】図５は１８０度ターンを行った際の進行方向の床反力のピーク値を示すグラフである。
【図６】図６はスタートダッシュを行った際の身体重心の進行方向速度（ａ）及び鉛直方向速度（ｂ）の時間履歴を示すグラフである。
【図７】図７は、本発明の１実施形態の機能性衣類に用いる１例のスポーツ用パンツの模式図であり、（ａ）は正面図、（ｂ）は側面図、（ｃ）図は背面図である。
【図８】図８は、本発明の１実施形態の機能性衣類に用いる他の１例のスポーツ用パンツの模式図であり、（ａ）は正面図、（ｂ）は側面図、（ｃ）図は背面図である。
【発明を実施するための形態】
【００１２】
本発明者らは、テニス、バレーボール、バスケットボールなどの運動時における横動きや回転動作の瞬発力を向上させることについて検討を重ねた。その結果、サイドステップ時の足圧及びせん断力や、横動き及び前後動き時の靴底の屈曲状況などに基づいて、靴下の前足部及び後足部の表側の所定箇所に複数の異方性の滑り止め部を長手方向が所定方向になるように設けることで、運動時における横動きや回転動作の瞬発力が向上することを見出した。
【００１３】
具体的には、室内運動の代表的な種目であるテニス、バレーボール、バスケットボールの３種目におけるサイドステップについて検討した。被験者は経験者３名及び非経験者２名の計５名として、圧力分布測定システムを用い、上記３種目におけるサイドステップ時の足圧データを解析した。同時に、床反力計を用いせん断力を解析した。同時に、三次元動作分析システムを用い、横動き及び前後動き時の靴底の屈曲状況を解析した。その結果を図１に示した。図１は右足を甲側から投影した模式図であり、（ａ）はサイドステップ時の足圧の分布を示す模式図であり、（ｂ）はサイドステップ時のせん断力の分布を示す模式図であり、（ｃ）は横動き及び前後動き時の靴底の屈曲ラインを示す模式図である。図１（ａ）から分かるように、母指球から第一中足骨を覆う位置（Ａ領域）、小指球から第五中足骨及び第四中足骨を覆う位置（Ｂ領域）及び踵骨を覆う位置（Ｃ領域）は足圧が高かった。図１（ｂ）において、矢印は床反力の向きを示す。図１（ｂ）から分かるように、前足部の内側において、せん断力は、外側上部から側内側下部に向けて斜め方向に作用しており、前足部の外側及び後足部においては、せん断力は、足の幅方向に沿う方向に作用していた。図１（ｃ）において、実線の円で示されているのは、横動きで靴底が屈曲するラインであり、一点鎖線の円で示されているのは、前後の動きで靴底が屈曲するラインである。
【００１４】
本発明では、１以上の実施形態において、上記データに基づいて、足圧が高い領域に滑り止め部を配置するとともに、滑り止め部に異方性を持たせ、その長手方向をせん断力の方向に合わせることで、テニス、バレーボール、バスケットボールなどの運動時において、靴と足の密着性を高め、横動きや回転動作の瞬発力を向上させている。また、１以上の実施形態において、屈曲ラインに沿う形で滑り止め部を区切ることで、テニス、バレーボール、バスケットボールなどの運動時において、靴と足の密着性をより高め、横動きや回転動作の瞬発力を向上させている。
【００１５】
本明細書において、外側とは足の小指側に対応し、内側とは足の親指側に対応し、上部とは足先側に対し、下部とは踵側に対応する。
【００１６】
前記靴下は、靴下本体の前足部に設けられた複数の異方性の第１滑り止め部と、靴下本体の後足部に設けられた複数の異方性の第２滑り止め部を有する。本明細書において、「異方性」とは、滑り止め部が、等方性の形状ではなく、長手方向と短手方向を有することを意味する。例えば、滑り止め部は、帯状又は略帯状であってもよい。
【００１７】
前記第１滑り止め部は、足甲及び足底の基節骨及び中足骨を覆う領域、すなわち足圧が高い領域に配置されている。前記第１滑り止め部は、基節骨及び中足骨の長手方向の少なくとも一部を覆う領域に配置されていればよい。第１基節骨、第２基節骨、第３基節骨、第１中足骨、第２中足骨及び第３中足骨を覆う領域において、前記複数の第１滑り止め部は、各々の長手方向が外側上部から内側下部に向けて斜め方向になるように、すなわち、サイドステップ時のせん断力の方向に沿うように配置されている。第４基節骨、第５基節骨、第４中足骨及び第５中足骨を覆う領域において、前記複数の第１滑り止め部は、各々の長手方向が靴下の幅方向に沿うように、すなわち、サイドステップ時のせん断力の方向に沿うように配置されている。
【００１８】
前記第１滑り止め部は、足底において、拇指から小指まで及び拇指球から小指球までを覆う領域にも配置されていることが好ましい。足圧が高い領域を網羅することができ、より効果的に靴と足の密着性を高め、横動きや回転動作の瞬発力をより向上させることができる。
【００１９】
前記複数の第２滑り止め部は、足底の踵骨を覆う領域、すなわち足圧が高い領域に配置されている。前記複数の第２滑り止め部は、各々の長手方向が靴下の幅方向に沿うように、かつ互いにほぼ平行するように配置されている。前記足底部の外側において、複数の第２滑り止め部は、各々の長手方向が内側下部から外側上部に向けて斜め方向になるように、かつ互いにほぼ平行するように配置されていてもよい。
【００２０】
前足部及び後足部に、それぞれ、上述した第１滑り止め部及び第２滑り止め部を有することにより、テニス、バレーボール、バスケットボールなどの運動時において、靴と足の密着性を高め、横動きや回転動作の瞬発力を向上させることができる。
【００２１】
前記第１滑り止め部は、足甲側及び足底側のいずれにおいても、第２基節骨と第３基節骨の間、第２中足骨と第３中足骨の間、第３基節骨と第４基節骨の間、及び第３中足骨と第４中足骨の間で区切られていることが好ましい。このように、第１滑り止め部を横動きの際に靴底が屈曲するラインに沿って区切ることにより、靴と足の密着性がより高まり、横動き時の瞬発力をより向上させることができる。
【００２２】
前記第２滑り止め部は、踵骨及び足底筋膜の内側及び外側のそれぞれにおいて区切られていることが好ましい。このように、第２滑り止め部を横動きの際に靴底が屈曲するラインに沿って区切ることにより、靴と足の密着性がより高まり、横動き時の瞬発力をより向上させることができる。
【００２３】
前記靴下は、さらに、踵部の表側に設けられた複数の異方性の第３滑り止め部を有することが好ましい。踵部の表側に設けられた複数の異方性の第３滑り止め部を有することにより、テニス、バレーボール、バスケットボールなどの運動時において、靴と足の密着性を高め、直進動作時の瞬発力を向上させることができる。
【００２４】
前記第１滑り止め部、第２滑り止め部及び第３滑り止め部は、樹脂で構成されていることが好ましい。樹脂としては、特に限定されず、例えば、弾性を有するものを用いることができる。弾性を有する樹脂としては、例えば、ポリウレタン、シリコーン樹脂、ポリ塩化ビニル、ポリアミドエラストマー、ポリエステルエラストマー、ゴム系エラストマー、オレフィン系エラストマー、ポリエチレン、ポリプロピレン、ナイロン、ＥＶＡ樹脂（エチレン−酢酸ビニル共重合体）、ＡＢＳ樹脂（アクリロニトリル−ブタジエン−スチレン共重合体）及びアクリル樹脂等が挙げられる。
【００２５】
靴下本体の足甲部の表側の所定領域に、例えば、これらの樹脂材料を流動可能な状態（例えば、液状）でプリント加工法により塗布し、加熱し、硬化させることで滑り止め部を形成することができる。靴下本体の足底部及び踵部の表側の滑り止め部も同様にして形成することができる。
【００２６】
足甲部の第１滑り止め部の厚みは、足底部の第１滑り止め部及び第２滑り止め部、並びに踵部の第３滑り止め部の厚みと同様であってもよい。着用感の観点から、足甲側の第１滑り止め部の厚みは、足底部の第１滑り止め部及び第２滑り止め部、並びに踵部の第３滑り止め部の厚みより薄いことが好ましい。
【００２７】
第３基節骨及び第３中足骨までの第１滑り止め部の面積（第１〜第３基節骨及び第１〜第３中足骨の第１滑り止め部）の面積が、第３基節骨及び第３中足骨より外側の第１滑り止め部（第４〜第５基節骨及び第４〜第５中足骨の第１滑り止め部）の面積が大きいことが好ましい。このように、足圧がより強い部分における滑り止め部の面積を大きくすることで、靴と足の密着性をより高め、横動きや回転動作の瞬発力をより向上させることができる。また、第３基節骨及び第３中足骨より内側（第１〜第２基節骨及び第１〜第２中足骨）の第１滑り止め部の面積が、第３基節骨及び第３中足骨より外側（第４〜第５基節骨及び第４〜第５中足骨）の第１滑り止め部の面積が大きいことが好ましい。このように、足圧がより強い部分における滑り止め部の面積を大きくすることで、靴と足の密着性をより高め、横動きや回転動作の瞬発力をより向上させることができる。
【００２８】
第１滑り止め部、第２滑り止め部及び第３滑り止め部を樹脂で構成する場合、着用性の観点から、滑り止め部の樹脂面積率は１５〜８５％であることが好ましく、３５〜６５％であることがより好ましい。本明細書において、滑り止め部の樹脂面積率は、滑り止め部が配置されている部位において、滑り止め部の面積に対する樹脂面積の割合を示すものであり、滑り止め部の面積とは、靴下本体に配置されている滑り止め部の外周で囲まれている領域の面積をいう。例えば、図３において、滑り止め部の面積とは、各々の滑り止め部が配置されている部位において、ドットで示されている領域の面積に該当する。
【００２９】
本発明において、靴下本体は、着用感の観点から、伸縮性を有することが好ましい。ＪＩＳ  Ｌ  １０９６に準じて測定した１５Ｎ荷重下におけるタテ方向及び／又はヨコ方向の伸長率が４０％以上であることが好ましく、６０％以上であることがより好ましい。
【００３０】
本発明において、靴下本体に使用する繊維は、弾性糸を含む繊維糸が好ましい。弾性糸は、ポリウレタン系弾性糸及びポリエステル系弾性糸からなる群から選ばれる少なくとも一つであることが好ましい。ストレッチ性が高く、靴下に適しているからである。上記弾性糸は、ベアヤーン（裸糸）として、非弾性糸（リジッド糸）と引きそろえて使用しても良いし、又は表面にポリエステル繊維、ナイロン繊維、アクリル繊維、ウール、木綿等が被覆されたカバードヤーンとして使用しても良い。
【００３１】
前足の周縁部を覆う領域において、前記第１滑り止め部は靴下本体を構成する繊維より細い繊度の繊維で構成されていることが好ましい。このような足と靴が密着する箇所において、滑り止め部を細い繊度の繊維で構成することにより、着用感が良好になる。
【００３２】
以下図面を用いて説明する。図２は本発明の一実施例における靴下（右足）の着用状態の模式図であり、（ａ）は足甲側から見た模式図であり、（ｂ）は足底側から見た模式図であり、（ｃ）は踵側から見た模式図である。図３は本発明の同靴下の平置状態の模式図であり、（ａ）は足甲側から見た模式図であり、（ｂ）は足底側から見た模式図であり、（ｃ）は踵側から見た模式図である。
【００３３】
図２及び図３に示されているように、該実施形態の靴下１は、靴下本体２と、靴下本体２の前足部の表側に設けられた複数の異方性の第１滑り止め部１０、２０と、靴下本体の後足部の表側に設けられた複数の異方性の第２滑り止め部１００を有する。また、踵部の表側に設けられた複数の異方性の第３滑り止め部２００を有する。
【００３４】
第１滑り止め部１０、２０は、足甲の基節骨及び中足骨を覆う領域に配置された第１滑り止め部１０と、足底の基節骨及び中足骨を覆う領域に配置された第１滑り止め部２０で構成されている。
【００３５】
足甲の第１基節骨、第２基節骨、第３基節骨、第１中足骨、第２中足骨及び第３中足骨を覆う領域において、複数の第１滑り止め部１１は、各々の長手方向が足甲の外側上部から内側下部に向けて斜め方向になるように、かつ互いにほぼ平行するように配置されている。足底の第１基節骨、第２基節骨、第３基節骨、第１中足骨、第２中足骨及び第３中足骨を覆う領域において、複数の第１滑り止め部２１は、各々の長手方向が足甲の外側上部から内側下部に向けて斜め方向になるように、かつ互いにほぼ平行するように配置されている。
【００３６】
足甲の第４基節骨、第５基節骨、第４中足骨及び第５中足骨を覆う領域において、複数の第１滑り止め部１２は、各々の長手方向が靴下の幅方向に沿うように、かつ互いにほぼ平行するように配置されている。足底の第４基節骨、第５基節骨、第４中足骨及び第５中足骨を覆う領域において、複数の第１滑り止め部２２は、各々の長手方向が靴下の幅方向に沿うように、かつ互いにほぼ平行するように配置されている。
【００３７】
第１滑り止め部１１と第１滑り止め部１２は、第３基節骨と第４基節骨の間、及び第３中足骨と第４中足骨の間で区切られている。また、第１滑り止め部１１は、第２基節骨と第３基節骨の間、及び第２中足骨と第３中足骨の間で区切られ、第１滑り止め部１１ａ及び第１滑り止め部１１ｂを形成している。第１滑り止め部２１と第１滑り止め部２２は、第３基節骨と第４基節骨の間、及び第３中足骨と第４中足骨の間で区切られている。また、第１滑り止め部２１は、第２基節骨と第３基節骨の間、及び第２中足骨と第３中足骨の間で区切られ、第１滑り止め部２１ａ及び第１滑り止め部２１ｂを形成している。
【００３８】
第１滑り止め部１１及び第１滑り止め部２１の面積は、それぞれ、第１滑り止め部１２及び第１滑り止め部２２の面積より大きいことが好ましく、より好ましくは２倍以上大きく、さらに好ましくは２．５倍以上大きい。第１滑り止め部１１、１２、２１及び２２の面積は、それぞれ、図３（ａ）及び（ｂ）において、ドットで示されている、靴下本体２に配置されている第１滑り止め部１１、１２、２１及び２２の外周で囲まれている領域の面積をいう。第１滑り止め部１１、１２、２１及び２２の樹脂面積率は、１５〜８５％であることが好ましく、より好ましくは３５〜６５％である。
【００３９】
第２滑り止め部１００は、足底の踵骨を覆う領域に配置されている。前記足底部の内側において、複数の第１滑り止め部１０１は、各々の長手方向が靴下の幅方向に沿うように、かつ互いにほぼ平行するように配置されている。前記足底部の外側において、複数の第２滑り止め部１０２は、各々の長手方向が外側上部から内側下部に向けて斜め方向になるように、かつ互いにほぼ平行するように配置されている。
【００４０】
第２滑り止め部１０１と第２滑り止め部１０２は、踵骨及び足底筋膜の外側で区切られている。また、第２滑り止め部１０１は、踵骨及び足底筋膜の内側で区切られ、第２滑り止め部１０１ａ及び第２滑り止め部１０１ｂを形成している。
【００４１】
第２滑り止め部１０１及び第２滑り止め部１０２の樹脂面積率は、１５〜８５％であることが好ましく、より好ましくは３５〜６５％である。第２滑り止め部１０１及び１０２の面積は、それぞれ、図３（ｂ）において、ドットで示されている、靴下本体２に配置されている第２滑り止め部１０１及び１０２の外周で囲まれている領域の面積となる。
【００４２】
踵部において、複数の異方性の第３滑り止め部２００は、踵部の幅方向の中央に左右対称になるように配置されていることが好ましい。第３滑り止め部２００の樹脂面積率は、１５〜８５％であることが好ましく、より好ましくは３５〜６５％である。第３滑り止め部２００の面積は、図３（ｃ）において、ドットで示されている、靴下本体２に配置されている第３滑り止め部２００の外周で囲まれている領域の面積となる。
【００４３】
本発明の１以上の実施形態の靴下は、骨盤を前傾させることが可能なスポーツ用パンツ（以下において、単に「骨盤前傾パンツ」とも記す。）と併用することができる。前記靴下と骨盤前傾パンツを併用することで、テニス、バレーボール、バスケットボールなどの運動時における横動きや回転動作の瞬発力をより高めることができる。
【００４４】
骨盤前傾パンツとしては、特に限定されないが、例えば、強緊締性の第１の生地部と弱緊締性の第２の生地部を含み、第１の生地部は骨盤及び下腹部を含む胴体周囲を覆い、前面よりも背面の方が高い位置にあり、第１の生地部の下部には弱緊締性の第２の生地部が配置され、パンツの上端にはベルト部があり、ベルト部の背面及び両側面は第１の生地部で形成され、ベルト部の前面は第２の生地部で形成されているスポーツ用パンツが挙げられる。上述した構成であることにより、前記スポーツ用パンツは、下腹部及び腰の後部を含む胴体周囲を締め付ける。さらに、骨盤を前傾させ、前記骨盤の前傾姿勢を保つことができる。また、第１の生地部の下部には弱緊締性の第２の生地部が配置されていることにより、大殿筋と股間を含む下腹部の大きな動きを阻害しない。
【００４５】
前記スポーツ用パンツにおいて、第１の生地部と第２の生地部との間であって、両側面から背面まで連続し、中臀筋の一部を覆う位置に中緊締性の第３の生地部が配置されていてもよい。これにより、中臀筋の大きな動きを妨げない。このような形態は女性用に好適であり、男性用はこの部分も強緊締性の第１の生地部としてもよい。
【００４６】
第１の生地部は弾性糸を含むストレッチ織物であり、第２の生地部は弾性糸を含むストレッチ編物であるのが好ましい。織物は薄くて質量（目付）も軽く、ストレッチパワー（緊締性）も高く、骨盤の前傾姿勢を保つのに好適である。編物は臀部から脚部の筋肉をフリー状態に保ち、自由な動きを保つのに好適である。
【００４７】
第１の生地部は、弾性糸を含むストレッチ織物が２枚積層された生地部であるのが好ましい。ストレッチ織物を２枚積層すると強い緊締性を出せる。弾性糸を含めることで伸びを出しやすく、スポーツによる筋肉の動きに追従しやすい。
【００４８】
第２の生地部は、弾性糸を含むストレッチ編物１枚であるのが好ましい。編物１枚であれば弱緊締性を出すのが容易で、大殿筋と股間を含む下腹部の大きな動きを阻害しない。
【００４９】
第３の生地部は、弾性糸を含むストレッチ織物１枚であるのが好ましい。第３の生地部は中臀筋の一部を覆う位置に配置することにより、中臀筋の大きな動きを妨げない。
【００５０】
ＪＩＳ  Ｌ  １０９６に準じて測定した荷重１７．６Ｎにおける各生地部の伸長率は、第１の生地部の伸長率（Ｓ１）がタテ方向（身丈方向に対応する。）２０〜３０％、ヨコ方向（身幅方向に対応する。）１０〜２０％、第２の生地部の伸長率（Ｓ２）がタテ方向１６０〜１９０％、ヨコ方向７０〜１００％、第３の生地部の伸長率（Ｓ３）がタテ方向３０〜６０％、ヨコ方向２０〜５０％であるのが好ましい。但し、タテ方向において、Ｓ１≦Ｓ３＜Ｓ２の関係である。
【００５１】
また、異なる領域において、第１の生地部の伸長率を変えてもよい。例えば骨盤の前傾姿勢を保ちつつ着用感をよくする目的で、前面及び背面の中央部に配置された第１の生地部（例えば、後述する図７に示されている３０２ｂ及び３０２ｄ）の伸長率を前面及び背面の側面部に配置された第１の生地部（例えば、後述する図７に示されている３０２ａ及び３０２ｃ）の伸長率より小さくしてもよい。但し、この場合でも、タテ方向においてＳ、１≦Ｓ３＜Ｓ２の関係である。
【００５２】
第１の生地部の初期縦弾性率（タテ方向に５％伸長時の応力の傾き）は、第２の生地部の初期縦弾性率の３倍以上であるのが好ましい。これにより、第１の生地部分は下腹部及び腰の後部を含む胴体周囲を締め付け、骨盤を前傾させ、骨盤の前傾姿勢を保つことができる。また、第２の生地部分は、大殿筋と股間を含む下腹部の大きな動きを阻害しない。
【００５３】
第１の生地部の背面の上端は骨盤の上端を超える位置であり、前面は上前腸骨棘と股下の間に位置し、かつ第１の生地部の体長方向（身丈方向）の幅は前面よりも背面の方が広いのが好ましい。これにより、より強く骨盤の前傾姿勢を保つことができる。また、第１の生地部の背面の上端は骨盤の上端を超える位置とすることにより、前記パンツはスポーツ時の動きによってずり下がることはない。
【００５４】
第１の生地部は、背面中央上端部の方が前面中央上端部よりも６０ｍｍを超えて高い位置にあるのが好ましい。より好ましくは８０ｍｍ以上である。上限は１２０ｍｍ以下が好ましい。これにより、骨盤の前傾姿勢をより強く保つことができる。このため、パンツ上端のベルト部の背面及び両側面を第１の生地部で形成し、前面は第２の生地部で形成すると、前面中央上端部に比べて背面中央上端部をより高い位置に配置できる。
【００５５】
第１の生地部の単位面積当たりの質量（目付）は１００〜４００ｇ／ｍ2が好ましく、さらに好ましくは１５０〜３６０ｇ／ｍ2である。第２の生地部の目付は１００〜４００ｇ／ｍ2が好ましく、さらに好ましくは１５０〜３００ｇ／ｍ2である。第３の生地部の目付は、１００〜２２０ｇ／ｍ2が好ましく、さらに好ましくは１２０〜２００ｇ／ｍ2である。第１の生地部は第３の生地部を２枚積層して使用してもよい。目付が前記の範囲であれば、前記の範囲であれば軽量であり、スポーツ用パンツとして好適である。
【００５６】
前記パンツ上端のベルト部は、前面にウエストゴムを配置し、両側面と背面部にはウエストゴムを配置しなくてもよい。これにより、前面のウエストゴムの弾性によりパンツの着脱ができ、スポーツ時の動きによってずり下がることはない。なお、ベルト部には紐をつけてもよい。
【００５７】
前記パンツの裾の長さは、股下部より下方まで延びていればよく、股下部から下に向かって２〜１００ｃｍの長さであってもよい。
【００５８】
第１の生地部を構成する第１の生地及び第３の生地部を構成する第３の生地は織物が好ましく、例えば平織、綾織、朱子織等がある。第２の生地部を構成する第２の生地は編物が好ましく、例えば、丸編、ヨコ編、タテ編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等がある。第１〜３の生地に用いる繊維は、ポリエチレンテレフタレート（ポリエステル）フィラメント糸、同紡績糸、ナイロンフィラメント糸、同紡績糸、ポリウレタンフィラメント糸（弾性糸）あるいはこれらの組み合わせが好ましい。弾性糸の周囲に非弾性糸を巻き付けたカバーリングヤーンとしてもよい。第１の生地、第２の生地及び第３の生地は、縫製することで、それぞれ、第１の生地部、第２の生地部及び第３の生地部となり、パンツを構成する。
【００５９】
骨盤サポートによる作用効果は、骨盤を前傾させると重心位置が前に、足圧中心がつま先方向になる。また、静姿勢で骨盤を後傾、中間位、前傾にした時に重心位置が変化するが、背骨を湾曲させずに上体を前方に傾斜できる。この結果、骨盤前傾により、腿が前上方にあがりにくくなり、脚の斜め後方への蹴り出しが強く大きくなり、脚を後方に振り出す最大伸展可動域が大きくなる。また、斜め下方に蹴った反動で股関節の最大伸展が起こり、その影響で大腰筋などの筋肉が急激に縮まる。大腰筋は伸ばされながら力を発揮する（伸張性収縮）のが得意な筋肉であり、この瞬間に最大のパフォーマンス（力）を発揮する。そのため、前記スポーツ用パンツは骨盤を前傾させ、これにより筋肉の直進、回転、ヨコ動きなど様々な動きを促進させることができる。
【００６０】
以下図面を用いて前記スポーツ用パンツを説明する。以下の図面において同一符号は同一物を示す。図７は一例のスポーツ用パンツの模式図であり、（ａ）は正面図、（ｂ）は側面図、（ｃ）は背面図である。スポーツ用パンツ３０１において、強緊締性の第１の生地部３０２ａ、３０２ｂ、３０２ｃ及び３０２ｄが骨盤及び下腹部を含む胴体周囲を覆っている。スポーツ用パンツ３０１の下部には、弱緊締性の第２の生地部３０４ａ、３０４ｂ、３０４ｃ、３０４ｄ及び３０４ｅが配置されている。スポーツ用パンツ３０１の上端にはベルト部３０５ａ〜３０５ｄが配置されており、背面のベルト部３０５ｄ、及び両側面のベルト部３０５ａ、３０５ｃは第１の生地部で形成され、前面のベルト部３０５ｂは第２の生地部で形成されている。ベルト部３０５ａ、３０５ｃは、それぞれ強緊締性の第１の生地部３０６ａ、３０６ｃが折り返されて袋状に形成されたものであり、ベルト部３０５ｄは、強緊締性の第１の生地部３０２ｄが折り返されて袋状に形成されたものである。ベルト部３０５ｂは、弱緊締性の第２の生地部３０６ｂが折り返されて袋状に形成されたものである。弾性ゴム（図示なし）が入っているのは前面のベルト部３０５ｂであり、他のベルト部３０５ａ、３０５ｃ、３０５ｄには弾性ゴムは入っていない。ベルト部３０５ａ〜３０５ｄには紐３０８が挿入されている。３０７は裾部である。このスポーツ用パンツ３０１はコアインナーパンツとして有用である。
【００６１】
強緊締性の第１の生地部３０２ａ、３０２ｃと弱緊締性の第２の生地部３０４ａ、３０４ｅとの間には、それぞれ、中緊締性の第３の生地部３０３ａ、３０３ｂを配置するのが好ましい。このように中緊締性の第３の生地部３０３ａ、３０３ｂを有する場合、女性用として好ましい。男性用の場合は３０３ａ、３０３ｂの部分に強緊締性の第１の生地部を配置するのが好ましい。
【００６２】
図８は他の１例のスポーツ用パンツの模式図であり、（ａ）は正面図、（ｂ）は側面図、（ｃ）は背面図である。図８に示されているスポーツ用パンツ３０９が、図７に示されているスポーツ用パンツ３０１と異なる点は、前部の股合わせ部の縫製線３１０が体長方向に１本となっている点である。スポーツ用パンツ３０９は主に女性用として好適であるが、男性用としても使用できる。
【００６３】
本発明は、１以上の実施形態において、前記靴下と前記スポーツ用パンツを組み合わせた機能性衣類を提供することができる。該機能性衣類は、前記靴下と前記スポーツ用パンツを併用することで、該テニス、バレーボール、バスケットボールなどの運動時における横動きや回転動作の瞬発力を高めることができる。
【００６４】
本発明は、また、１以上の実施形態において、前記靴下と前記スポーツ用パンツを組み合わせて用いることで、運動機能を向上させることができる、具体的には、テニス、バレーボール、バスケットボールなどの運動時における横動きや回転動作の瞬発力を高めることができる、運動機能向上方法を提供することができる。
【実施例】
【００６５】
以下、本発明の実施例について述べるが、本発明はこれらに限定されるものではない。【００６６】
（実施例１）
（１）靴下本体の作製
＜使用糸＞
本実施例の靴下の糸使いは、表糸として、綿５０％／ポリエステル５０％紡績糸（３２／−：毛番手）、裏糸として、ポリウレタンにナイロンをカバーリングしているＦＴＹ（ファイバーツイステッドヤーン）（繊度：３３ｄｅｃｉｔｅｘ（３０ｄ）／７７ｄｅｃｉｔｅｘ（７０ｄ））及び弾性糸として、ポリウレタンにナイロンをカバーリングしているＤＣＹ（ダブルカバードヤーン）（繊度：７７ｄｅｃｉｔｅｘ（７０ｄ）／７７ｄｅｃｉｔｅｘ（７０ｄ））の３種類からなり、表糸、裏糸及び弾性糸が靴下の全体を構成し、表糸と裏糸が履き口部分を構成している。
＜編成方法＞
編み物組織はシングル編みとし、図２に示すような靴下本体（サイズ：２６ｃｍ用）を作製した。
（２）滑り止め部の形成
靴下本体の足甲部、足底部及び踵部に、シリコーン樹脂をプリント加工により塗布し、加熱し、硬化させて、図２に示すように、足甲部の第１滑り止め部１０、足底部の第１滑り止め部２０、足底部の第２滑り止め部１００、踵部の第３滑り止め部２００を形成した。足甲の第１滑り止め部１１の面積は３８ｃｍ2であり、樹脂面積率は３８.５％であり、第１滑り止め部１２の面積は１１ｃｍ2であり、樹脂面積率は５８％であった。足底部において、第１滑り止め部２１の面積は４３ｃｍ2であり、樹脂面積率は３８．５％であり、第１滑り止め部２２の面積は１５．５ｃｍ2であり、樹脂面積率は５８％であり；第２滑り止め部１０１の面積は３２．８ｃｍ2であり、樹脂面積率は３８．５％であり、第２滑り止め部１０２の面積は１４ｃｍ2であり、樹脂面積率は５０％であった。踵部において、第３滑り止め部２００の面積は１８ｃｍ2であり、樹脂面積率は４２％であった。【００６７】
（比較例１）
実施例１と同様にして、靴下本体を作製し、比較例１とした。【００６８】
健康な男性被験者２名に靴下を着用させて反復横跳びを行い、全力試技タイムを測定し、その結果を、それぞれ、図４（ａ）及び（ｂ）に示した。図４から分かるように、いずれの被験者においても、実施例１の靴下を着用した方が、比較例１の靴下を着用した場合に比べて、全力試技タイムが早まっており、横動き時の瞬発力が向上していた。【００６９】
健康な男性被験者３名に靴下を着用させて１８０度ターン（進行方向を１８０度変化させる切り返し動作）を行い、進行方向の床反力のピーク値（Ｎ）を測定し、その結果を、それぞれ、図５（ａ）、（ｂ）及び（ｃ）に示した。図５から分かるように、いずれの被験者においても、実施例１の靴下を着用した方が、比較例１の靴下を着用した場合に比べて、進行方向の床反力のピーク値が増加して、切り返し動作時の瞬発力が向上していた。【００７０】
健康な男性被験者２名に靴下を着用させてスタートダッシュ（静止状態からスタートの合図で全力でダッシュ）を行い、身体重心の進行方向速度及び鉛直方向速度の時間履歴を測定し、その結果を図６（ａ）及び（ｂ）に示した。図６（ａ）及び（ｂ）において、横軸の時間は、計測開始から離地までの時間を１００ポイントとして正規化した。図６から分かるように、実施例１の靴下を着用した方が、比較例１の靴下を着用した場合に比べて、接地中期における進行方向の速度上昇が多く、鉛直方向の速度変化が少なかった。これは、スタートダッシュ時の加速度が向上していることを意味する。【００７１】
実施例１及び比較例１の靴下の足底の前足部を切り取り、その静止摩擦係数を下記のように測定した。また、参考例１として、実施例１の足底の前足部の第１滑り止め部２０の代わりに、第１滑り止め部の該当箇所に、ドット状にシリコーン樹脂を塗布した試験片を用い、その静止摩擦係数を下記のように測定した。結果を下記表１に示した。【００７２】
（静止摩擦係数の測定方法）
静止摩擦係数は摩擦係数試験機（ＧＯＴＥＣＨ社製、型番「ＧＴ−７０１２−Ｍ２」）を用いて測定した。試験片を試験機に貼り付けて所定の角度で固定し、１０ｌｂ（≒４．５４ｋｇ）の荷重を掛けてから８秒間での変位が１ｍｍ以内の時の傾きを静止摩擦係数とした。試験片は縦・横それぞれで計測を行った。【００７３】
【表１】
2019172249.tif 000003
【００７４】
表１の結果から分かるように、ドット状の滑り止め部を有する参考例より、異方性であり、長手方向が所定の方向に並んでいる滑り止め部を有する実施例１の方が、静止摩擦係数が高いことから、実施例の方が靴と足の密着性がより高まると推測される。【００７５】
（スポーツ用衣服の製造例１）
（１）第１の生地
ポリエステル（ポリエチレンテレフタレート：ＰＥＴ）のマルチフィラメント糸（繊度８５ｄｅｃｉｔｅｘ、フィラメント数３７本）８２質量％、ポリウレタンフィラメント糸（繊度４４ｄｅｃｉｔｅｘ）１８質量％を使用し、平織物組織の織物を作製した。目付は１７０ｇ／ｍ2であった。この織物を２枚重ねて第１の生地（目付３４０ｇ／ｍ2）とした。第１の生地部の伸長率は、タテ方向２５．１％、ヨコ方向１７．４％であり、第１の生地の初期縦弾性率は６５６×１０-6Ｎ／ｍ2であった。伸長率及び初期縦弾性率は、ＪＩＳ  Ｌ  １０９６に準じて荷重１７．６Ｎ下で測定した。
（２）第２の生地
ポリエステル（ポリエチレンテレフタレート：ＰＥＴ）のマルチフィラメント糸（繊度４４ｄｅｃｉｔｅｘ，フィラメント数１３本）８２質量％、ポリウレタンフィラメント糸（繊度４４ｄｅｃｉｔｅｘ）１８質量％を使用し、トリコット組織の編物を作成した。目付は２２５ｇ／ｍ2であった。この編物の伸長率は、タテ方向１７５％、ヨコ方向８５％であり、第２の生地の初期縦弾性率は８６×１０-6Ｎ／ｍ2であった。伸長率及び初期縦弾性率は、ＪＩＳ  Ｌ  １０９６に準じて荷重１７．６Ｎ下で測定した。
（３）第３の生地
ポリエステル（ポリエチレンテレフタレート：ＰＥＴ）のマルチフィラメント糸（繊度８５ｄｅｃｉｔｅｘ，フィラメント数３７本）８２質量％、ポリウレタンフィラメント糸（繊度４４ｄｅｃｉｔｅｘ）１８質量％を使用し、平織物組織の織物を作製した。目付は１７０ｇ／ｍ2であった。該織物を第３の生地として用いた。第３の生地の伸長率は、タテ方向４８％、ヨコ方向３３．６％、第３の生地の初期縦弾性率は５５８×１０-6Ｎ／ｍ2であった。伸長率及び初期縦弾性率は、ＪＩＳ  Ｌ  １０９６に準じて荷重１７．６Ｎ下で測定した。【００７６】
第１の生地、第２の生地及び第３の生地を使用して図７に示すスポーツ用コアインナーパンツを縫製により作製した。ＪＡＳＰＯのＬサイズとした。第１の生地で、強緊締性の第１の生地部３０２ａ、３０２ｂ、３０２ｃ、３０２ｄ、３０６ａ及び３０６ｃを構成し、第２の生地で、弱緊締性の第２の生地部３０４ａ、３０４ｂ、３０４ｃ、３０４ｄ、３０４ｅ及び３０６ｂを構成し、第３の生地で第３の生地部３０３ａ及び３０３ｂを構成した。強緊締性の第１の生地部３０６ａ、３０６ｃをそれぞれ折り返してベルト部３０５ａ、３０５ｃを構成した。強緊締性の第１の生地部３０２ｄを折り返してベルト部３０５ｄを構成した。弱緊締性の第２の生地部３０６ｂを折り返してベルト部３０５ｂを構成した。股下部から背面のベルト部の上端部までの身丈は３００ｍｍ、股下部から前面のベルト部の上端部までの身丈は２４０ｍｍ、静置したときの腰幅は３００ｍｍであった。また、矢状（しじょう）面で、強緊締性の第１の生地部で構成される背面のベルト部３０５ｄの上端と、強緊締性の第１の生地部３０２ｂの上端の差は１１０ｍｍであり、背面のベルト部３０５ｄ及び第１の生地部３０２ｄの身丈方向の合計幅は８５ｍｍ、前面の第１の生地部３０２ｂの身丈方向の幅は５５ｍｍであった。また、ベルト部３０５ａ−３０５ｄの身丈方向の幅は約３５ｍｍであった。得られたスポーツ用パンツの１着当たりの質量は８０ｇであった。【００７７】
製造例１のスポーツ用パンツは、スポーツ時には臀部から脚部の筋肉はフリー状態に保たれ、自由な動きができ、下腹部及び腰の後部を含む胴体周囲は固定され、前傾姿勢を保つことができた。【００７８】
（スポーツ用パンツの製造例２）
製造例１における強緊締性の第１の生地部３０２ａ、３０２ｂ、３０２ｃ、３０２ｄ、３０６ａ、３０６ｃ、及び中緊締性の第３の生地部３０３ａ、３０３ｂを、第２の生地で構成した以外は、製造例１と同様にして製造例２のスポーツ用パンツを作製した。製造例２のスポーツ用パンツは、第２の生地で構成された弱緊締性の第２生地部からなるものであった。【００７９】
製造例１及び製造例２のスポーツ用パンツを、コアインナーパンツとして着用し、矢状面における上前腸骨棘と上後腸骨棘を結んだラインと水平面のなす角度を骨盤前傾角度として測定したところ、製造例１のスポーツ用パンツを着用した場合は２０．１度であり、製造例２のスポーツ用パンツを着用した場合は９．８度であった。製造例１のスポーツ用コアインナーパンツを着用すると、骨盤を前傾させた姿勢を取る事ができた。【００８０】
健康な男性被験者５名（年齢１９〜２２歳）に、比較例１の靴下を着用させた場合（試験例１）、実施例１の靴下を着用させた場合（試験例２）、実施例１の靴下を着用させるとともに、製造例１のスポーツ用パンツをコアインナーパンツとして着用させた場合（試験例３）、１８０度ターンを行い、床に設置したフォースプレートにて、地面反力パラメータを測定算出することで、ターン動作中に地面との摩擦によって生じる鉛直軸回りの回転力（フリーモーメント）の最大値を測定・算出し、その結果を下記表２に示した。下記表２では、試験例１におけるフリーモーメントの最大値を１００とし、それに対する相対値を示した。【００８１】
健康な男性被験者５名（年齢１９〜２２歳）に、比較例１の靴下を着用させた場合（試験例１）、実施例１の靴下を着用させた場合（試験例２）、実施例１の靴下を着用させるとともに、製造例１のスポーツ用パンツをコアインナーパンツとして着用させた場合（試験例３）、スタートダッシュを行い、モーションキャプチャシステムで、着用者の全身に付けたマーカーの動きに基づいて、運動時の身体重心パラメータを計測し、ダッシュ動作中の後方足が離地した瞬間の身体重心速度の平均値を算出し、その結果を下記表３に示した。下記表３では、試験例１における身体重心速度の平均値を１００とし、それに対する相対値を示した。【００８２】
【表２】
2019172249.tif 000004
【００８３】
【表３】
2019172249.tif 000005
【００８４】
表２の結果から分かるように、比較例１の靴下を着用した場合と比べて、実施例１の靴下を着用した場合、フリーモーメントの最大値が３０％以上高まっており、切り返し動作時、すなわち回転動作の瞬発力が向上していた。また、実施例１の靴下を着用するとともに、製造例１のスポーツ用パンツをコアインナーパンツとして着用した場合は、フリーモーメントの最大値が４８％以上高まっており、回転動作時の瞬発力がさらに向上していた。【００８５】
表３の結果から分かるように、比較例１の靴下を着用した場合と比べて、実施例１の靴下を着用した場合、身体重心速度の平均値が２．７％以上高まっており、スタートダッシュ時の瞬発力が向上していた。また、実施例１の靴下を着用するとともに、製造例１のスポーツ用パンツをコアインナーパンツとして着用した場合は、身体重心速度の平均値が６％以上高まっており、スタートダッシュ時の瞬発力がさらに向上していた。
【産業上の利用可能性】
【００８６】
本発明の靴下は、テニス、バレーボール、バスケットボールを含むあらゆるポーツ用として好適である。その他、一般の靴下として用いることもできる。また、本発明の機能性衣類は、テニス、バレーボール、バスケットボールを含むあらゆるポーツ用として好適である。また、本発明の機能性衣類は、一般用として用いることもできる。
【符号の説明】
【００８７】
１  靴下
２  靴下本体
１０、１１、１１ａ、１１ｂ、１２、２０、２１、２１ａ、２１ｂ、２２  第１滑り止め部
１００、１０１、１０１ａ、１０１ｂ、１０２  第２滑り止め部
２００  第３滑り止め部
３０１、３０９  スポーツ用パンツ
３０２ａ−３０２ｄ、３０６ａ、３０６ｃ  強緊締性の第１の生地部
３０３ａ、３０３ｂ  中緊締性の第３の生地部
３０４ａ−３０４ｅ，３０６ｂ  弱緊締性の第２の生地部
３０５ａ−３０５ｄ  ベルト部
３０７  裾部
３０８  紐
３１０  股合わせ部の縫製線
【図１】
2019172249.tif 000006
【図２】
2019172249.tif 000007
【図３】
2019172249.tif 000008
【図４】
2019172249.tif 000009
【図５】
2019172249.tif 000010
【図６】
2019172249.tif 000011
【図７】
2019172249.tif 000012
【図８】
2019172249.tif 000013
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
靴下本体と、靴下本体の前足部の表側に設けられた複数の異方性の第１滑り止め部と、靴下本体の後足部の表側に設けられた複数の異方性の第２滑り止め部を有し、
前記第１滑り止め部は、足甲及び足底の基節骨及び中足骨を覆う領域に配置されており、第１基節骨、第２基節骨、第３基節骨、第１中足骨、第２中足骨及び第３中足骨を覆う領域において、前記複数の第１滑り止め部は、各々の長手方向が外側上部から内側下部に向けて斜め方向になるように、かつ互いに平行するように配置されており、第４基節骨、第５基節骨、第４中足骨及び第５中足骨を覆う領域において、前記複数の第１滑り止め部は、各々の長手方向が靴下の幅方向に沿うように、かつ互いに平行するように配置されており、
前記第２滑り止め部は、足底の踵骨を覆う領域において、各々の長手方向が靴下の幅方向に沿うように、かつ互いに平行するように配置されていることを特徴とする靴下。
【請求項２】
前記第１滑り止め部は、第２基節骨と第３基節骨の間、第２中足骨と第３中足骨の間、第３基節骨と第４基節骨の間、及び第３中足骨と第４中足骨の間で区切られている請求項１に記載の靴下。
【請求項３】
前記第１滑り止め部は、足底において、拇指から小指まで及び拇指球から小指球までを覆う領域にも配置されている請求項１又は２に記載の靴下。
【請求項４】
前記第２滑り止め部は、踵骨及び足底筋膜の内側及び外側のそれぞれにおいて区切られている請求項１〜３のいずれか１項に記載の靴下。
【請求項５】
前記第１滑り止め部及び第２滑り止め部は、樹脂で構成されている請求項１〜４のいずれか１項に記載の靴下。
【請求項６】
さらに、靴下本体の踵部の表側に設けられた複数の異方性の第３滑り止め部を有する請求項１〜５のいずれか１項に記載の靴下。
【請求項７】
前記第３滑り止め部は、樹脂で構成されている請求項６に記載の靴下。
【請求項８】
前記樹脂は、ポリウレタン、シリコーン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、及びアクリロニトリル−ブタジエン−スチレン共重合体及びアクリル系樹脂からなる群から選ばれる１種以上の弾性樹脂である請求項５又は７に記載の靴下。
【請求項９】
請求項１〜８のいずれか１項に記載の靴下、及びスポーツ用パンツを含み、
前記スポーツ用パンツは、強緊締性の第１の生地部と弱緊締性の第２の生地部を含み、第１の生地部は骨盤及び下腹部を含む胴体周囲を覆い、前面よりも背面の方が高い位置にあり、第１の生地部の下部には弱緊締性の第２の生地部が配置され、パンツの上端にはベルト部があり、ベルト部の背面及び両側面は第１の生地部で形成され、ベルト部の前面は第２の生地部で形成されている、機能性衣類。
【国際調査報告】
2019172249.tif 000014
2019172249.tif 000015
2019172249.tif 000016
2019172249.tif 000017